(57)【要約】【課題】  頭部装着型ディスプレイと電子カメラとからなる頭部装着型ディスプレイシステムにおいて、頭部装着型ディスプレイと電子カメラとを接続して使用する際に、簡単で分かり易い操作で使用可能な頭部装着型ディスプレイシステムを提供すること。【解決手段】  頭部装着型ディスプレイと撮像部を備えた電子カメラとからなる頭部装着型ディスプレイシステムであって、頭部装着型ディスプレイは、頭部装着型ディスプレイに対する操作を検知する検知部と、検知部による検知結果に応じた信号を、電子カメラに対して出力する出力部とを備え、電子カメラは、出力部により出力された検知結果に応じた信号を取得する取得部と、検知結果に応じた信号に基づいて、電子カメラを制御する制御部とを備える。【選択図】      図１
2008085854.tif 000002
【特許請求の範囲】
【請求項１】
頭部装着型ディスプレイと撮像部を備えた電子カメラとからなる頭部装着型ディスプレイシステムであって、
前記頭部装着型ディスプレイは、
前記頭部装着型ディスプレイに対する操作を検知する検知部と、
前記検知部による検知結果に応じた信号を、前記電子カメラに対して出力する出力部とを備え、
前記電子カメラは、
前記出力部により出力された前記検知結果に応じた信号を取得する取得部と、
前記検知結果に応じた信号に基づいて、前記電子カメラを制御する制御部とを備える
ことを特徴とする頭部装着型ディスプレイシステム。
【請求項２】
請求項１に記載の頭部装着型ディスプレイシステムにおいて、
前記制御部は、前記検知結果に応じた信号に基づいて、前記撮像部による撮像動作を行わせる
ことを特徴とする頭部装着型ディスプレイシステム。
【請求項３】
頭部装着型ディスプレイと撮像部を備えた電子カメラとからなる頭部装着型ディスプレイシステムであって、
前記頭部装着型ディスプレイは、
前記頭部装着型ディスプレイの一部を構成する部材が変位可能であるとともに、変位可能な前記部材の動きを検出する検知部を有し、
前記電子カメラは、
前記検知部による検知結果に応じて、前記電子カメラを制御する制御部を備える
ことを特徴とする頭部装着型ディスプレイシステム。
【請求項４】
請求項３に記載の頭部装着型ディスプレイシステムにおいて、
変位可能な前記部材は、前記頭部装着型ディスプレイの一部が、その他の部分に対して変位可能な可動部である
ことを特徴とする頭部装着型ディスプレイシステム。
【請求項５】
請求項４に記載の頭部装着型ディスプレイシステムにおいて、
前記頭部装着型ディスプレイは、
スピーカと連結部とからなり、前記頭部装着型ディスプレイをユーザの頭部に装着可能な頭部装着部と、
表示部と、
前記表示部を支持する表示部支持部と、
前記表示部支持部と前記頭部装着部との間に設けられ、前記頭部装着部に対して変位可能な関節構造部とを備え、
前記表示部支持部は、前記関節構造部を介して、前記頭部装着部に対して変位可能であり、
前記検知部は、前記関節構造部に設けられ、前記頭部装着部に対する前記表示部支持部の動きを検出する
ことを特徴とする頭部装着型ディスプレイシステム。
【請求項６】
請求項５に記載の頭部装着型ディスプレイにおいて、
前記表示部は、前記関節構造部により、退避位置と可視位置とに変位可能であり、
前記制御部は、前記表示部が前記退避位置から前記可視位置へ変化する際、または、前記表示部が前記可視位置から前記退避位置へ変化する際に前記検知部から出力される信号に基づいて、前記電子カメラの電源制御と前記電子カメラにおけるシャッタの制御とのいずれかを実行する
ことを特徴とする頭部装着型ディスプレイ。
【発明の詳細な説明】
【技術分野】
【０００１】
本発明は、表示部を備え、ユーザの頭部に装着可能な頭部装着型ディスプレイと、撮像部を備えた電子カメラとからなる頭部装着型ディスプレイシステムに関する。
【背景技術】
【０００２】
従来より、ユーザの頭部に装着可能な頭部装着型ディスプレイにおいて、外界を撮像する機能を備えた頭部装着型ディスプレイが知られている（例えば、特許文献１）。
【特許文献１】特開２００５−３１１７５４号公報
【発明の開示】
【発明が解決しようとする課題】
【０００３】
しかし、外界を撮像する機能を頭部装着型ディスプレイに備える際には、ディスプレイが大型化するとともに複雑化することが懸念される。そのため、上述した特許文献１の頭部装着型ディスプレイと同等の効果を得るために、外界を撮像する機能を備えない頭部装着型ディスプレイと電子カメラとを接続し、組み合わせて使用することが考えられる。ところが、頭部装着型ディスプレイと電子カメラとを接続して使用する際には、頭部装着型ディスプレイと電子カメラとの両方にボタンなどの操作部が存在するため、操作が煩わしいという問題がある。
【０００４】
本発明は、頭部装着型ディスプレイと電子カメラとからなる頭部装着型ディスプレイシステムにおいて、頭部装着型ディスプレイと電子カメラとを接続して使用する際に、簡単で分かり易い操作で使用可能な頭部装着型ディスプレイシステムを提供することを目的とする。
【課題を解決するための手段】
【０００５】
本発明の頭部装着型ディスプレイシステムは、頭部装着型ディスプレイと撮像部を備えた電子カメラとからなる頭部装着型ディスプレイシステムであって、前記頭部装着型ディスプレイは、前記頭部装着型ディスプレイに対する操作を検知する検知部と、前記検知部による検知結果に応じた信号を、前記電子カメラに対して出力する出力部とを備え、前記電子カメラは、前記出力部により出力された前記検知結果に応じた信号を取得する取得部と、前記検知結果に応じた信号に基づいて、前記電子カメラを制御する制御部とを備える。
【０００６】
なお、好ましくは、前記制御部は、前記検知結果に応じた信号に基づいて、前記撮像部による撮像動作を行わせも良い。
本発明の別の頭部装着型ディスプレイシステムは、頭部装着型ディスプレイと撮像部を備えた電子カメラとからなる頭部装着型ディスプレイシステムであって、前記頭部装着型ディスプレイは、前記頭部装着型ディスプレイの一部を構成する部材が変位可能であるとともに、変位可能な前記部材の動きを検出する検知部を有し、前記電子カメラは、前記検知部による検知結果に応じて、前記電子カメラを制御する制御部を備える。
【０００７】
なお、好ましくは、変位可能な前記部材は、前記頭部装着型ディスプレイの一部が、その他の部分に対して変位可能な可動部であっても良い。
また、好ましくは、前記頭部装着型ディスプレイは、スピーカと連結部とからなり、前記頭部装着型ディスプレイをユーザの頭部に装着可能な頭部装着部と、表示部と、前記表示部を支持する表示部支持部と、前記表示部支持部と前記頭部装着部との間に設けられ、前記頭部装着部に対して変位可能な関節構造部とを備え、前記表示部支持部は、前記関節構造部を介して、前記頭部装着部に対して変位可能であり、前記検知部は、前記関節構造部に設けられ、前記頭部装着部に対する前記表示部支持部の動きを検出しても良い。
【０００８】
また、好ましくは、前記表示部は、前記関節構造部により、退避位置と可視位置とに変位可能であり、前記制御部は、前記表示部が前記退避位置から前記可視位置へ変化する際、または、前記表示部が前記可視位置から前記退避位置へ変化する際に前記検知部から出力される信号に基づいて、前記電子カメラの電源制御と前記電子カメラにおけるシャッタの制御とのいずれかを実行しても良い。
【発明の効果】
【０００９】
本発明によれば、頭部装着型ディスプレイと電子カメラとからなる頭部装着型ディスプレイシステムにおいて、頭部装着型ディスプレイと電子カメラとを接続して使用する際に、簡単で分かり易い操作で使用可能な頭部装着型ディスプレイシステムを提供することを目的とする。
【発明を実施するための最良の形態】
【００１０】
以下、図面に基づいて本発明の実施形態について説明する。
図１は、本発明の頭部装着型ディスプレイシステム全体の外観図である。本発明の頭部装着型ディスプレイシステムは、図１に示すように、頭部装着型ディスプレイ１００と電子カメラ２００とから構成される。以下では、「頭部装着型ディスプレイ」を「ＨＭＤ」と称する。ＨＭＤ１００と電子カメラ２００とは、不図示の接続部を介して、ケーブル３００により接続される。
【００１１】
ＨＭＤ１００は、図１に示すように、スピーカ１１１、連結部１１１ａ、表示部１１２、支持アーム１１２ａ、操作部１１３を備える。装着時にスピーカ１１１はユーザの両耳に装着され、連結部１１１ａの弾性力により、スピーカ１１１がユーザの両耳に保持される。表示部１１２は、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１２】
表示部１１２は、支持アーム１１２ａと一体となって形成される。支持アーム１１２ａは、スピーカ１１１に対して図１の矢印ａの方向にスライドして移動する。表示部１１２および支持アーム１１２ａは、画像観察時には、図１の実線で示す位置に配置される。以下では、この状態を「観察状態」と称する。また、表示部１１２および支持アーム１１２ａは、画像観察時以外の場合には、軸ｂを中心に回動され、表示部１１２がユーザの頭頂部に配置される（図１の点線で示す位置）。この結果、表示部１１２は、画像観察時以外の場合にはユーザの頭頂部に配置され、ユーザの視界を遮らない。以下では、この状態を「退避状態」と称する。また、支持アーム１１２ａは、スピーカ１１１に対して、回動可能な関節構造を介して設けられており、図１の軸ｂを中心として、スピーカ１１１に対して図１の矢印ｃの方向に回転可能である。この関節構造は、コラム１１２ｄと左耳のスピーカ１１１との間に設けられ、例えば、特開２００５−２９４９７８号公報に開示されているような関節構造が適用されている。したがって、前述した矢印ａの方向のスライドと、矢印ｃの方向の回転とにより、表示部１１２の位置をユーザの眼前に正しく調整することができる。
【００１３】
また、表示部１１２は、支持アーム１１２ａとの間にスライド部材１１２ｂと球面軸受け１１２ｃとを有し、ユーザ操作に基づいて、さらに詳細な位置および傾きなどを調整可能である。また、表示部１１２は、球面軸受け１１２ｃにより矢印ｅの方向に回転可能であるとともに、矢印ｆの方向にも回転可能である。したがって、ユーザの眼を基準とした傾きを調整可能である。また、表示部１１２は、スライド部材１１２ｂにより矢印ｇの方向にスライド可能であり、ユーザの眼を基準とした左右位置を調整可能である。また、表示部１１２は、球面軸受け１１２ｃにより矢印ｉの方向に回転可能である。したがって、ユーザの眼の光軸と垂直な面内における傾きを調整可能である。
【００１４】
操作部１１３は、図１に示すように、支持アーム１１２ａの取り付け側とは反対側のユーザの側頭部、右耳のスピーカ１１１近傍に配置される。図２は、ＨＭＤ１００を図１の矢印Ｓの方から見た側面図である。操作部１１３は、図２に示すように、電源ボタン１１３ａ、十字ボタン１１３ｂ、メニューボタン１１３ｃ、カメラボタン１１３ｄを備える。なお、操作部１１３はリモートコントローラのようにＨＭＤ１００の外部に備えられても良い。この場合、リモートコントローラとＨＭＤ１００とは無線で接続されても良いし、有線で接続されても良い。
【００１５】
電子カメラ２００は、図１に示すように、上面に電源ボタン２１１およびレリーズボタン２１２を備えるとともに、前面に撮影レンズ２１３を備える。
図３は、本発明の頭部装着型ディスプレイシステムの機能ブロック図である。
ＨＭＤ１００は、図３に示すように、スピーカ１１１、表示部１１２、操作部１１３に加えて、表示部１１２への表示を制御する表示制御部１１４、ケーブルなどを介して電子カメラ２００やコンピュータなどの外部機器と接続する接続部１１５、表示部１１２に表示する画像情報、スピーカ１１１に出力する音声情報などを記憶する記憶部１１６、表示部１１２の状態を検知する検知部１１７、各部を制御するＨＭＤ制御部１１８の各部を備える。接続部１１５は、ＨＭＤ１００と外部機器（本実施形態では電子カメラ２００）とを機械的、かつ電気的に接続可能な端子などを有する。また、検知部１１７は、スピーカ１１１に設けられる。そして、支持アーム１１２ａの移動に伴う関節構造を構成する部材の動きを検出する不図示のセンサなどにより、表示部１１２が観察状態（図１の実線で示す位置に表示部１１２および支持アーム１１２ａが配置される状態）であるか退避状態であるか（図１の破線で示す位置に表示部１１２および支持アーム１１２ａが配置される状態）を検知する。
【００１６】
ＨＭＤ制御部１１８は、表示制御部１１４、接続部１１５、記憶部１１６の各部と相互に接続される。また、表示制御部１１４の出力は表示部１１２に接続される。ＨＭＤ制御部１１８は、操作部１１３および検知部１１７の状態を検知するとともに、操作部１１３を介して行われるユーザ指示にしたがって、スピーカ１１１に対する音声の再生や、表示部１１２に対する画像の表示を行う。
【００１７】
電子カメラ２００は、図３に示すように、撮影レンズ２１３や不図示の撮像素子を有する撮像部２１５、表示部２１６、表示部２１６への表示を制御する表示制御部２１７、ケーブルなどを介してＨＭＤ１００やコンピュータなどの外部機器と接続する接続部２１８、撮像部２１５により生成した画像情報などを記憶する記憶部２１９、電源ボタン２１１およびレリーズボタン２１２を含む操作部２２０、各部を制御するカメラ制御部２２１の各部を備える。接続部２１８は、電子カメラ２００と外部機器（本実施形態ではＨＭＤ１００）とを機械的、かつ電気的に接続可能な端子などを有する。
【００１８】
カメラ制御部２２１は、撮像部２１５、表示制御部２１７、接続部２１８、記憶部２１９の各部と相互に接続される。また、表示制御部２１７の出力は表示部２１６に接続される。カメラ制御部２２１は、操作部２２０の状態を検知するとともに、操作部２２０を介して行われるユーザ指示にしたがって、撮像部２１５による撮像や、表示部２１６に対する画像の表示を行う。
【００１９】
以上説明した構成の頭部装着型ディスプレイシステムにおいて、ＨＭＤ１００と電子カメラ２００とが接続された状態で、カメラボタン１１３ｄが押圧されると、ＨＭＤ制御部１１８はこれを検知し、電子カメラ２００をメインに使用するものとして、以下の各処理を行う。
（１）ユーザによる操作について
ＨＭＤ制御部１１８は、ＨＭＤ１００の操作部１１３の操作体系を、電子カメラ２００の動作に最適化する。例えば、通常は図４Ａに示すような映像・音楽鑑賞の際に必要となる各機能を有する十字ボタン１１３ｂに、図４Ｂに示す電子カメラ２００用の各機能を割り当てる。具体的には、十字ボタン１１３ｂのうち、上下のボタンを無効にする。さらに、左右のボタンに、それぞれ「ズーム−」、「ズーム＋」に相当するユーザ指示を割り当て、中央のボタンに、「レリーズ」に相当するユーザ指示を割り当てる。また、メニューボタン１１３ｃには、電子カメラ２００に関するメニューの表示を割り当てても良い。
【００２０】
このように、電子カメラ２００に合わせて、ＨＭＤ１００の操作部１１３の操作体系を変更することにより、操作性を向上させることができる。また、操作におけるユーザの混乱を防ぐことができる。そして、ＨＭＤ制御部１１８は、操作部１１３で行われるボタン操作に応じた信号を生成し、生成した信号を、接続部１１５、ケーブル３００、接続部２１８を介してカメラ制御部２２１に出力する。カメラ制御部２２１は、ＨＭＤ制御部１１８から出力された信号に応じて、電子カメラ２００の各部を制御する。したがって、電子カメラ２００では、ＨＭＤ１００の操作部１１３に対して行われたボタン操作に応じた制御が行われることになる。
【００２１】
なお、図４の例は一例であり、各ボタンへの割り当ておよび各操作部の構成はこの例に限定されない。
また、（１）で説明したように、ＨＭＤ１００の操作部１１３の操作体系を、電子カメラ２００の動作に最適化する際には、操作体系の変更に伴い、操作部１１３の各ボタンにどのような操作が割り当てられているかを示す図などの操作ガイドを、表示部１１２に表示することにより、操作におけるユーザの混乱を防ぐことができる。
【００２２】
また、（１）で説明したように、ＨＭＤ１００の操作部１１３の操作体系を、電子カメラ２００の動作に最適化する際には、電子カメラ２００の操作部２２０を無効としても良い。また、ＨＭＤ１００の操作部１１３および電子カメラ２００の操作部２２０の双方を有効とし、同時に操作された場合には優先順位にしたがって操作を受け付ける構成としても良い。また、ＨＭＤ１００と電子カメラ２００とが接続される前後の所定の時間帯のみ、ＨＭＤ１００の操作部１１３および電子カメラ２００の操作部２２０の双方を有効としても良い。
【００２３】
（２）表示部１１２に対する表示について
ＨＭＤ制御部１１８は、表示制御部１１４を制御して、表示解像度および画像の表示サイズを電子カメラ２００に合わせて最適化する。このように、電子カメラ２００に合わせて、ＨＭＤ１００における表示を最適化することにより、ユーザの利便性を向上させることができる。
【００２４】
このとき、ＨＭＤ制御部１１８は、接続部１１５を介して電子カメラ２００の表示部２１６における表示条件（ホワイトバランスなど）を取得し、この表示条件にしたがって、表示制御部１１４を制御すると良い。このように、電子カメラ２００の表示部２１６における表示条件にＨＭＤ１００の表示部１１２を合わせることにより、ユーザに違和感を与えない表示を実現することができる。
【００２５】
また、（２）で説明したように、ＨＭＤ１００の表示部１１２を、電子カメラ２００に合わせて最適化する際に、電子カメラ２００の表示部２１６の表示を無効としても（表示をＯＦＦしても）良い。
（３）画像情報について
ＨＭＤ制御部１１８は、電子カメラ２００により生成された画像情報を、接続部１１５を介して電子カメラ２００からＨＭＤ１００に転送しても良い。転送される画像情報は、構図確認中に生成される画像（いわゆるスルー画像）の画像情報でも良い。この場合、ＨＭＤ１００をファインダーとして使用することができる。また、転送される画像情報は、撮像部２１５により生成された後に、一旦記憶部２１９に記憶された画像情報でも良いし、撮像部２１５により生成された後に、そのまま接続部２１８に出力された画像情報でも良い。
【００２６】
電子カメラ２００から転送された画像情報は、ＨＭＤ１００の表示制御部１１４を介して、表示部１１２に表示されても良い。また、転送された画像情報を、ＨＭＤ１００の記憶部１１６に記憶する構成としても良い。この場合、転送を実行する前にＨＭＤ１００の記憶部１１６の空き容量を確認し、転送する画像情報の容量よりもＨＭＤ１００の記憶部１１６の空き容量が大きい場合にのみ転送を実行しても良い。さらに、ＨＭＤ１００の記憶部１１６から電子カメラ２００の記憶部２１９に画像情報などを転送しても良い。
【００２７】
また、電子カメラ２００が、マイクなどの音声情報取得機能を備える場合には、音声情報についても、本実施形態で説明した画像情報と同様に転送可能とすれば良い。
さらに、本実施形態では、ＨＭＤ１００と電子カメラ２００とが接続された状態で、カメラボタン１１３ｄが押圧されると、上述した（１）から（３）の各処理を行う例を示したが、ＨＭＤ１００に対する別の操作をきっかけとして、上述した（１）から（３）の各処理を行う構成としても良い。
【００２８】
例えば、ＨＭＤ１００と電子カメラ２００とが接続された状態で、検知部１１７による検知結果に基づいて、表示部１１２が観察状態から退避状態に変更された場合や、逆に、表示部１１２が退避状態から観察状態に変更された場合に、上述した（１）から（３）の各処理を行う構成としても良い。
また、本実施形態では、ＨＭＤ１００と電子カメラ２００とが接続された状態で、カメラボタン１１３ｄが押圧されると、上述した（１）から（３）の各処理を行う例を示したが、上述した（１）から（３）の各処理に代えて、別の処理を行っても良い。
【００２９】
例えば、ＨＭＤ１００に対する所定の操作をきっかけとして、電子カメラ２００の電源をＯＦＦする構成としても良い。具体的には、表示部１１２が観察状態から退避状態に変更された場合には、電子カメラ２００による撮像を終了したとし、電子カメラ２００の電源をＯＦＦする構成としても良い。このとき、ＨＭＤ制御部１１８は、電源をＯＦＦする指示を、接続部１１５を介して電子カメラ２００のカメラ制御部２２１に出力する。
【００３０】
また、ＨＭＤ１００に対する所定の操作をきっかけとして、電子カメラ２００の撮像部２１５による撮像を行う構成としても良い。具体的には、カメラボタン１１３ｄが押圧されると、電子カメラ２００による撮像を行う構成としても良いし、検知部１１７による検知結果に基づいて、電子カメラ２００による撮像を行う構成としても良い。このとき、ＨＭＤ制御部１１８は、電子カメラ２００による撮像を行う指示を、接続部１１５を介して電子カメラ２００のカメラ制御部２２１に出力する。
【００３１】
また、例えば、十字ボタン１１３ｂの中央のボタンに、カメラのレリーズボタンのように「半押し」および「全押し」の２段階の操作が可能な機構を設け、「半押し」および「全押し」に別々のユーザ指示を割り当てても良い。具体的には、「半押し」に通常のカメラによる「半押し（フォーカスロックなど）」を割り当て、「全押し」に「レリーズ」を割り当てることにより、ユーザは、通常のカメラの使用と同じ感覚で、ＨＭＤ１００の操作部１１３を操作することができる。なお、「半押し」操作時には、ＨＭＤ１００の表示部１１２に、通常のカメラにおける「半押し」時に表示される画像（いわゆる「ホールド画面」）を表示する構成とすると良い。
【００３２】
以上説明したように、本実施形態によれば、頭部装着型ディスプレイと撮像部を備えた電子カメラとからなる頭部装着型ディスプレイシステムにおいて、頭部装着型ディスプレイは、頭部装着型ディスプレイに対する操作を検知する検知部と、検知部による検知結果に応じた信号を、電子カメラに対して出力する出力部とを備える。また、電子カメラは、出力部により出力された検知結果を取得する取得部を備え、検知結果に応じた信号に基づいて、電子カメラを制御する。したがって、頭部装着型ディスプレイと電子カメラとを接続して使用する際に、簡単で分かり易い操作で使用可能である。
【００３３】
また、本実施形態によれば、検知結果に応じて、撮像部による撮像動作を行わせる。したがって、頭部装着型ディスプレイと電子カメラとを接続して使用する際に、頭部装着型ディスプレイに対する操作に応じて、電子カメラによる撮像動作を行うことができる。
また、本実施形態によれば、頭部装着型ディスプレイは、頭部装着型ディスプレイの一部を構成する部材が変位可能であるとともに、変位可能な部材の動きを検出する検知部を有し、電子カメラは、検知部による検知結果に応じて、電子カメラを制御する制御部を備える。したがって、頭部装着型ディスプレイの変位可能な部材の動きに応じて、電子カメラの制御を行うことができる。
【００３４】
また、本実施形態によれば、変位可能な部材は、頭部装着型ディスプレイの一部が、その他の部分に対して変位可能な可動部である。したがって、ユーザは、この可動部を移動することにより、電子カメラの制御を行うことができる。
また、本実施形態によれば、頭部装着型ディスプレイは、スピーカと連結部とからなり、頭部装着型ディスプレイをユーザの頭部に装着可能な頭部装着部と、表示部と、表示部を支持する表示部支持部と、表示部支持部と頭部装着部との間に設けられ、頭部装着部に対して変位可能な関節構造部とを備え、表示部支持部は、関節構造部を介して、頭部装着部に対して変位可能であり、検知部は、関節構造部に設けられ、頭部装着部に対する表示部支持部の動きを検出する。したがって、ユーザは、表示部支持部に支持された表示部を移動することにより、電子カメラの制御を行うことができる。
【００３５】
また、本実施形態によれば、表示部は、関節構造部により、退避位置と可視位置とに変位可能であり、制御部は、表示部が退避位置から可視位置へ変化する際、または、表示部が可視位置から退避位置へ変化する際に検知部から出力される信号に基づいて、電子カメラの電源制御と電子カメラにおけるシャッタの制御とのいずれかを実行する。したがって、ユーザは、表示部の位置を変化させることにより、電子カメラの電源制御やシャッタの制御を行うことができる。
【００３６】
なお、本実施形態では、ＨＭＤ１００と電子カメラ２００とが接続された状態で、ＨＭＤ１００の操作部１１３に対する操作に応じて、電子カメラ２００を制御する例を示したが、電子カメラ２００の操作部２２０に対する操作に応じて、ＨＭＤ１００を制御する構成としても良い。例えば、電子カメラ２００のレリーズボタン２１２の操作に応じて、ＨＭＤ１００の表示部１１２に表示される画像を制御しても良い。
【００３７】
また、本実施形態では、ＨＭＤ制御部１１８によって検知部１１７の状態を検知し、ＨＭＤ制御部１１８が、カメラ制御部２２１に対して検知結果に応じた信号を出力する構成について説明したが、以下のように変更しても良い。
図５は、図３に示した頭部装着型ディスプレイシステムの機能ブロック図の変形例である。図５に示すように、検知部１１７の出力を接続部１１５に接続する。そして、カメラ制御２２１が、接続部２１８、ケーブル３００、接続部１１５を介して検知部１１７の状態を検知する。さらに、カメラ制御部２２１は、検知した検知部１１７の状態に応じて、電子カメラ２００の各部を制御する。
【００３８】
また、本実施形態で説明した発明を、通信機能を備えた電子カメラ（携帯電話など）にも同様に適用することができる。この場合、ＨＭＤ１００の操作部１１３の操作体系を通信機能を備えた電子カメラに最適化し、通話音量などをＨＭＤ１００の操作部１１３により調整可能にしても良い。また、通信機能を備えた電子カメラが通信により取得したＷＥＢ画像などを、ＨＭＤ１００の表示部１１２に供給しても良い。さらに、ＨＭＤ１００と通信機能を備えた電子カメラとの間で、画像情報や音声情報などを相互に転送しても良い。また、ＨＭＤ１００に通信機能を備えた電子カメラが接続されたことを検出した時点で、実行可能な動作の一覧などをＨＭＤ１００の表示部１１２に表示しても良い。
【００３９】
また、本実施形態において、ＨＭＤ１００と電子カメラ２００とが接続された状態で、ＨＭＤ１００と電子カメラ２００との間で電源を共有する構成としても良い。例えば、ＨＭＤ１００と電子カメラ２００との電池残量を監視し、一方の電源が不足した場合には、他方から電源供給を行う構成としても良い。
また、本実施形態において説明した「ＨＭＤ１００に対する操作」と「電子カメラ２００の制御」とを適宜組み合わせて実行しても良い。
【００４０】
また、本実施形態では、ＨＭＤ１００と電子カメラ２００とは、ケーブル３００により接続される例を示したが、無線により接続される構成でも良い。
また、本実施形態で説明した構成以外の頭部装着型ディスプレイにも本発明を同様に適用することができる。例えば、表示部を頭頂部方向に跳ね上げるオーバーヘッドアーム形状の頭部装着型ディスプレイの代わりに、表示部をスライド式に出し入れする頭部装着型ディスプレイにも本発明を同様に適用することができる。
【００４１】
また、本実施形態では、片側のみに表示部を備える例を示したが、両側に表示部を備える頭部装着型ディスプレイにも同様に本発明を適用することができる。
【図面の簡単な説明】
【００４２】
【図１】本発明の頭部装着型ディスプレイシステム全体の外観図である。
【図２】ＨＭＤ１００を図１の矢印Ｓの方から見た側面図である。
【図３】本発明の頭部装着型ディスプレイシステムの機能ブロック図である。
【図４】ＨＭＤ１００の操作部１１３について説明する図である。
【図５】本発明の頭部装着型ディスプレイシステムの別の機能ブロック図である。
【符号の説明】
【００４３】
１００…ＨＭＤ，１１１…スピーカ，１１２・２１６…表示部，１１３・２２０…操作部，１１４・２１７…表示制御部，１１５・２１８…接続部，１１６・２１９…記憶部，１１７…検知部，１１８…ＨＭＤ制御部，２００…電子カメラ，２１５…撮像部，２２１…カメラ制御部
【図１】
2008085854.tif 000003
【図２】
2008085854.tif 000004
【図３】
2008085854.tif 000005
【図４】
2008085854.tif 000006
【図５】
2008085854.tif 000007